(57)【要約】      （修正有）【課題】被清掃面上の吸引清掃および拭き掃除を同時にまたはそれぞれ単独で行うことができる電気掃除機の吸込口体を提供する。【解決手段】吸込ノズル２１と、吸込ノズル２１の後部に設けられた拭き掃除ヘッド２２とを備え、拭き掃除ヘッド２２は、被清掃面の拭き掃除において拭き掃除用シートにて被覆される底面を有し、前記底面は、拭き掃除用シートが取り除かれた状態において被清掃面と摺接可能な滑らかな摺接面部２２ｓを有することを特徴とする電気掃除機の吸込口体である。【選択図】図３
2019115506.tif 000002
【特許請求の範囲】
【請求項１】
吸込ノズルと、前記吸込ノズルの後部に設けられた拭き掃除ヘッドとを備え、
前記拭き掃除ヘッドは、被清掃面の拭き掃除において拭き掃除用シートにて被覆される底面を有し、
前記底面は、拭き掃除用シートが取り除かれた状態において被清掃面と摺接可能な滑らかな摺接面部を有することを特徴とする電気掃除機の吸込口体。
【請求項２】
前記拭き掃除ヘッドは、ヘッド本体と、前記ヘッド本体の下面に取り付けられるクッションプレートとを有し、
前記ヘッド本体に取り付けられた前記クッションプレートの下面の全面または一部にて前記摺接面部が形成されている請求項１に記載の吸込口体。
【請求項３】
前記クッションプレートは、弾性体からなるプレート本体と、前記プレート本体の下面に貼り付けられた樹脂フィルムまたは樹脂プレートとを有し、
前記樹脂フィルムまたは樹脂プレートにて前記摺接面部が形成されている請求項２に記載の吸込口体。
【請求項４】
前記拭き掃除ヘッドの前記底面側の前端縁に起毛ブラシが設けられている請求項１〜３のいずれか１つに記載の吸込口体。
【請求項５】
前記吸込ノズルに接続された一端部を有する可撓性ホースと、前記可撓性ホースの他端部に設けられた接続管部とをさらに備えた請求項１〜４のいずれか１つに記載の吸込口体。
【発明の詳細な説明】
【技術分野】
【０００１】
本発明は、電気掃除機の吸込口体に関する。
【背景技術】
【０００２】
従来の電気掃除機として、特許文献１には、床面上のダストを吸引しながら拭き掃除が可能な拭き掃除機が開示されている。
この拭き掃除機は、集塵部および電動送風機を有する掃除機本体と、掃除機本体の上端部に着脱可能に取り付けられる接続パイプと、接続パイプの上端部に設けられたハンドルと、掃除機本体の下端部に設けられた関節部および可撓性ホースを介して前後左右に揺動可能に接続された吸込口体とを備える。
【０００３】
この拭き掃除機において、吸込口体は、前記可撓性ホースと接続された吸込ノズルと、吸込ノズルの後部に設けられた拭き掃除ヘッドとを備える。
吸込ノズルは、取付部材を介して関節部に上下揺動可能に取り付けられている。
拭き掃除ヘッドは、関節部と連結した上面と、拭き掃除の際に拭き掃除用シートにて被覆される底面とを有し、拭き掃除用シートの端部４箇所を保持するシート保持構造部が上面４箇所に設けられている。
【先行技術文献】
【特許文献】
【０００４】
【特許文献１】特開２００６−１２２３５５号公報
【発明の概要】
【発明が解決しようとする課題】
【０００５】
特許文献１の拭き掃除機において、拭き掃除ヘッドの底面は拭き掃除用シートの位置ずれを抑制するよう凹凸部を有するゴム製のクッションプレートにて形成されている。
そのため、拭き掃除機の拭き掃除ヘッドに拭き掃除用シートを装着せずにダストの吸引清掃（例えば、スポット的な軽度の清掃）のみを行う際は、ゴム製のクッションプレートの滑り止め作用により拭き掃除ヘッドが床面上を滑ることができず、床面上で吸込口体を摺動させて吸引清掃することが困難であった。すなわち、拭き掃除を伴わないダストの吸引清掃のみを行い難いという不具合があった。
【０００６】
本発明は、このような課題に鑑みなされたものであり、被清掃面上の吸引清掃および拭き掃除を同時にまたはそれぞれ単独で行うことができる電気掃除機の吸込口体を提供することを目的とする。
【課題を解決するための手段】
【０００７】
かくして、本発明によれば、吸込ノズルと、前記吸込ノズルの後部に設けられた拭き掃除ヘッドとを備え、
前記拭き掃除ヘッドは、被清掃面の拭き掃除において拭き掃除用シートにて被覆される底面を有し、
前記底面は、拭き掃除用シートが取り除かれた状態において被清掃面と摺接可能な滑らかな摺接面部を有する電気掃除機の吸込口体が提供される。
【発明の効果】
【０００８】
本発明の電気掃除機の吸込口体によれば、被清掃面と摺接可能な滑らかな摺接面部が拭き掃除ヘッドの底面に設けられているため、拭き掃除ヘッドに拭き掃除用シートを装着せずに吸引清掃のみを行う場合でも、拭き掃除ヘッドがフローリング、畳、カーペット、壁面等の被清掃面上をスムーズに摺動することができる。
無論、拭き掃除ヘッドに拭き掃除用シートを装着した拭き掃除のみでも行うことができ、吸引清掃と拭き掃除を同時に行うこともできる。
【図面の簡単な説明】
【０００９】
【図１】本発明の吸込口体を備えた電気掃除機の実施形態１を示す斜視図である。
【図２】図１の電気掃除機を分解した状態を示す斜視図である。
【図３】実施形態１における吸込口体の（Ａ）は底面図、（Ｂ）は側断面図である。
【図４】実施形態１における吸込口体の拭き掃除ヘッドへの拭き掃除用シートの装着手順を示す説明図であって（Ａ）は第１の手順、（Ｂ）は第２の手順である。
【図５】実施形態２における吸込口体の側断面図である。
【図６】実施形態３における吸込口体の側断面図である。
【図７】実施形態４における吸込口体の側断面図である。
【図８】実施形態５における吸込口体の斜視図である。
【発明を実施するための形態】
【００１０】
（実施形態１）
図１は本発明の吸込口体を備えた電気掃除機の実施形態１を示す斜視図であり、図２は図１の電気掃除機を分解した状態を示す斜視図である。また、図３は実施形態１における吸込口体の（Ａ）は底面図、（Ｂ）は側断面図である。
【００１１】
実施形態１の電気掃除機１は、集塵部１１を有する掃除機本体１０と、掃除機本体１０の下端部と関節部２３および可撓性ホース２４を介して上下左右に揺動可能に接続された吸込口体２０と、掃除機本体１０の上端部１０ａに着脱可能に取り付けられる接続パイプ３０と、接続パイプ３０の上端部に設けられたハンドル４０とを備え、掃除機本体１０と吸込口体２０とが一体化され、吸引清掃と拭き掃除の両方の機能を備えたワイパークリーナーである。
【００１２】
掃除機本体１０は、その流線形の筐体内に図示しない電動送風機およびバッテリーを備えると共に、容器型の集塵部１１を着脱可能に装着する凹部を筐体の前面に有し、排気口１０ｃを側面に有している。
また、掃除機本体１０の筐体の上端部１０ａは円筒状に形成されており、円筒状の上端部１０ａの根元付近に電源スイッチ１２が設けられている。
【００１３】
また、ハンドル４０にも電源スイッチ４１が設けられている。
接続パイプ３０の下端部３０ａを掃除機本体１０の上端部１０ａに差し込んだスティックモード（図１）では、ハンドル４０側の電源スイッチ４１をＯＮまたはＯＦＦすることにより電動送風機を駆動または停止させることができる。一方、接続パイプ３０を掃除機本体１０から取り外して上端部１０ａをハンドルとして用いるハンディモード（図２）では、掃除機本体１０側の電源スイッチ１２をＯＮまたはＯＦＦすることにより電動送風機を駆動または停止させることができる。
【００１４】
吸込口体２０は、吸込ノズル２１と、吸込ノズル２１の後部に設けられた長方形の拭き掃除ヘッド２２と、関節部２３とを備える。
関節部２３は、拭き掃除ヘッド２２の上面側に左右軸心を中心に上下揺動可能に連結された左右一対の下取付片２３ａと、一対の下取付片２３ａの上端部に連設された前後一対の上取付片２３ｂとを有し、掃除機本体１０の下端部１０ｂが一対の上取付片２３ｂに前後軸心を中心に左右揺動可能に連結されている。
【００１５】
吸込ノズル２１は、左右方向に延びるノズル本体２１ａと、ノズル本体２１ａの後壁部に連設された揺動連結部２１ｂとを有する。
ノズル本体２１ａは、後壁部に接続孔部２１ａ1を有しており、この接続孔部２１ａ1に可撓性ホース２４の下端部が気密に接続されている。なお、可撓性ホース２４の上端部は、掃除機本体１０の下端部に設けられて集塵部１１と連通する接続口に気密に接続されている。
【００１６】
揺動連結部２１ｂは、ノズル本体２１ａの後壁部における接続孔部２１ａ1の周囲の上半部と連設された半円筒部２１ｂ1と、この半円筒部２１ｂ1から後方へ突出した左右一対の連結片部２１ｂ2とを有し、一対の連結片部２１ｂ2が関節部２３の一対の下取付片２３ａに左右軸心を中心に上下揺動可能に連結されている。
【００１７】
拭き掃除ヘッド２２は、関節部２３の一対の下取付片２３ａに連結されたヘッド本体２２ａと、ヘッド本体２２ａの下面側に取り付けられる中間プレート２２ｂと、中間プレート２２ｂの下面側に取り付けられるクッションプレート２２ｃとを有する。
ヘッド本体２２ａは、長方形の上壁部２２ａ1と、上壁部２２ａ1の外周部に沿って設けられた垂下壁部２２ａ2とを有し、下面側には中間プレート２２ｂおよびクッションプレート２２ｃを収納する凹部が設けられている。
【００１８】
ヘッド本体２２ａにおいて、上壁部２２ａ1の左右中間位置には前後方向に延びる凹溝２２ａ11が設けられると共に、４つの角部付近に４つの孔部２２ａ12が設けられており、凹溝２２ａ11に可撓性ホース２４の下縁部が収まるようになっている。また、４つの孔部２２ａ12には中間プレート２２ｂの後述する４つのシート保持部２２ｂ2が下方から嵌り込むようになっている。
さらに、ヘッド本体２２ａの上壁部２２ａ１の下面における外周部付近には図示しない複数の位置決め凸部が設けられており、後述する中間プレート２２ｂの複数の孔部２２ｂ11に各位置決め凸部が差し込まれることにより、ヘッド本体２２ａの凹部内で中間プレート２２ｂが位置決めされる。
【００１９】
中間プレート２２ｂは、外周部付近に複数の前記孔部２２ｂ11を有する長方形のプレート本体２２ｂ1と、プレート本体２２ｂ1の上面における４つの角部付近に設けられた４つの円筒状のシート保持部２２ｂ2と、プレート本体２２ｂ1の下面における外周部付近に設けられた複数の突起部２２ｂ3とを有する。
【００２０】
シート保持部２２ｂ2は、その上端部にスリットを有するシート保持片が設けられており、後述する拭き掃除用シートＳ（図４参照）の端部をスリットに差し込むことによりシート保持片にて拭き掃除用シートを保持するようになっている。
突起部２２ｂ3は、プレート本体２２ｂ1の下面に連設された大径部２２ｂ31と、大径部２２ｂ31の下端部に下方突出に連設された小径部２２ｂ32とをし、後述するクッションプレート２２ｃの複数の孔部２２ｃ3に小径部２２ｂ32を差し込むことにより保持するようになっている。
【００２１】
クッションプレート２２ｃは、均一な厚さを有する弾性体からなるプレート本体２２ｃ1と、プレート本体２２ｃ1の下面に粘着剤層を介して貼り付けられた樹脂フィルム２２ｃ2とを有する。なお、実施形態１では、弾性体として発泡クロロプレンゴムを用い、粘着剤層としてアクリル系粘着剤層を用い、樹脂フィルムとしてポリエステルフィルムを用いている。
このクッションプレート２２ｃは、樹脂フィルムが貼り付けられた弾性シート体を打ち抜き型にて所定サイズに打ち抜いて作製されており、打ち抜き時に複数の前記孔部２２ｃ3が外周部付近に形成される。
【００２２】
なお、プレート本体２２ｃ1の材料としては、例えば、天然ゴム、クロロプレンゴム、エチレンプロピレンゴム、ニトリルゴム、シリコンゴム、スチレンブタジエンゴム等の発泡ゴム、ポリウレタン、ポリスチレン、ポリエチレン、ポリプロピレン等の発泡樹脂といった厚さ５〜２０ｍｍ程度の市販の弾性体を用いることができるが、これらに限定されるものではない。また、樹脂フィルム２２ｃ2の材料としては、例えば、ポリエステル、ポリエチレン、ポリプロピレン、ポリカーボネイト、ポリアセタール、４フッ化エチレン等の厚さ０．０１〜０．０５ｍｍ程度の市販の樹脂フィルムを用いることができるが、これらに限定されるものではない。
【００２３】
図３（Ｂ）に示すように、中間プレート２２ｂの各突起部２２ｂ3の大径部２２ｂ31にクッションプレート２２ｃが突き当たるまで小径部２２ｂ32をクッションプレート２２ｃの各孔部２２ｃ3に差し込むことにより、クッションプレート２２ｃが中間プレート２２ｂを介してヘッド本体２２ａに取り付けられる。このとき、クッションプレート２２ｃはヘッド本体２２ａの下端部よりも下方へ突出した状態となり、かつ小径部２２ｂ32がクッションプレート２２ｃから突出した状態とならない。
【００２４】
このようにして拭き掃除ヘッド２２を組み立てた吸込口体２０を被清掃面Ｆ上に載置すると、被清掃面Ｆとノズル本体２１ａとの間に所定寸法の隙間Ｃが形成され、この隙間Ｃはクッションプレート２２ｃの厚さＴによって調整することができる。隙間Ｃは広すぎても狭すぎても吸込ノズル２１による最適な吸引性能が得られにくくなるため、最適寸法の隙間Ｃが得られるようにクッションプレート２２ｃの厚さＴが設定される。この際、拭き掃除ヘッド２２に装着される後述の拭き掃除用シートＳの厚さを考慮しておくことが好ましい。
【００２５】
図４は実施形態１における吸込口体の拭き掃除ヘッドへの拭き掃除用シートの装着手順を示す説明図であって（Ａ）は第１の手順、（Ｂ）は第２の手順である。
図４（Ａ）に示すように、矢印で示すように吸込ノズル２１を掃除機本体１０に向かう方向に上方に揺動させて、拭き掃除ヘッド２２において拭き掃除方向に沿った方向の一方のヘッド外側面２２ａ21を露出させる。そして、広げられた拭き掃除用シートＳの上に拭き掃除ヘッド２２の底面が接触するように吸込口体２０を載置する。
【００２６】
その後、図４（Ｂ）に示すように、拭き掃除用シートＳが拭き掃除ヘッド２２の底面を覆うと共に一方のヘッド外側面２２ａ21と他方のヘッド外側面２２ａ22を覆って、拭き掃除ヘッド２２の周囲の少なくとも一部を覆うようにして拭き掃除用シートＳの一方と他方の端部を折り返し、シートＳの４箇所をそれぞれ４つのシート保持部２２ｂ2に差し込んで保持させる。そして、矢印で示すように吸込ノズル２１を掃除機本体１０から離れて一方のヘッド外側面２２ａ21に向かう方向（下方）に揺動させて、元の位置に戻す。このようにして、拭き掃除用シートＳが拭き掃除ヘッド２２に取り付けられ、保持される。
【００２７】
このようにして拭き掃除用シートＳを装着した吸込口体２０を備える電気掃除機１では、次のように吸引清掃と拭き掃除を同時に行うことができる。
まず、掃除機本体１０の電動送風機を駆動させることにより、吸込ノズル２１の吸込口２１ｘから被清掃面Ｆ上のダストを含む空気が吸引されて矢印Ａのように可撓性ホース２４内を通過して掃除機本体１０の集塵部１１内に流入する。その後、ダストは集塵部１１内のフィルターにて捕捉され、ダストが除去された空気が掃除機本体１０の筐体内を通過して排気口１０ｃから外部に排出される。
【００２８】
このような吸引清掃時に、吸込口体２０を被清掃面Ｆ上で移動させることにより拭き掃除用シートＳが被清掃面Ｆ上を摺動するため、吸込ノズル２１にて吸引除去されなかったダストをシートＳにて絡め取ることができる。
無論、電動送風機を停止させ、吸引清掃を伴わない拭き掃除のみの清掃も行うことができる。
【００２９】
さらに、本発明の吸込口体２０によれば、拭き掃除を伴わない吸引清掃のみの清掃も可能である。この際、図３（Ｂ）に示すように、拭き掃除用シートＳが装着されていない拭き掃除ヘッド２２の底面が被清掃面Ｆ上を摺動することになるが、拭き掃除ヘッド２２の底面全面はクッションプレート２２ｃの下面全面、すなわち、平滑な樹脂フィルム２２ｃ2にて構成されているため被清掃面Ｆ（フローリング、畳、カーペット等）に対して滑りやすく、それ故に吸込口体２０は被清掃面Ｆ上をスムーズに摺動することができる。
このように、実施形態１の吸込口体２０において、拭き掃除ヘッド２２の樹脂フィルム２２ｃ2からなる底面全面が、拭き掃除用シートＳが取り除かれた状態において被清掃面Ｆとスムーズに摺接可能な平滑な摺接面部２２Ｓとなっている。
【００３０】
（実施形態２）
図５は実施形態２における吸込口体の側断面図である。なお、図５において、図３（Ｂ）中の要素と同様の要素には同一の符号を付している。
実施形態２の吸込口体２２０は、拭き掃除ヘッド２２２のクッションプレート２２２ｃの断面形状が実施形態１とは異なる以外は、実施形態１の吸込口体２０と同様である。以下、実施形態２における実施形態１とは異なる点を主に説明する。
【００３１】
実施形態２において、クッションプレート２２２ｃは、側面側から視て凹凸波形の断面形状を有する弾性体からなるプレート本体２２２ｃ1と、プレート本体２２２ｃ1の下面に粘着剤層を介して貼り付けられた樹脂フィルム２２ｃ2とを有する。この凹凸波形は、中間プレート２２ｂの突起部２２ｂ3が差し込まれる部分が左右方向に延びる凸形に形成され、互いに隣接する凸形と凸形の間が凹形に形成されている。
したがって、プレート本体２２２ｃ1の下面に貼り付けられた樹脂フィルム２２ｃ2も凹凸波形となる。
【００３２】
実施形態２の吸込口体２２０において、拭き掃除ヘッド２２２の樹脂フィルム２２ｃ2からなる底面の凸形部分が、拭き掃除用シートＳが取り除かれた状態において被清掃面Ｆとスムーズに摺接可能なように滑らかに湾曲した摺接面部２２２Ｓとなっている。
実施形態１では拭き掃除ヘッド２２の底面全面が摺接面部２２Ｓであったが、実施形態２の拭き掃除ヘッド２２０では底面の一部を摺接面部２２２Ｓとしたことで実施形態１よりも摺接面部２２２Ｓの面積が減少し、フローリング、畳、カーペット等の被清掃面Ｆに対してよりスムーズな摺動性を得ることができる。
【００３３】
また、実施形態２の吸込口体２２０においても、実施形態１と同様に拭き掃除ヘッド２２２に拭き掃除用シート（不図示）を装着して拭き掃除を行うことができる。この際、装着した拭き掃除用シートは平面的に張られるが、クッションプレート２２２ｃの底面が凹凸波形であるため凸形部分と凹形部分で拭き掃除用シートの被清掃面Ｆに対する押圧力に強弱が生じ、被清掃面Ｆにこびり付いた汚れを凸形部分で強く擦って除去しやすくなる。
【００３４】
（実施形態３）
図６は実施形態３における吸込口体の側断面図である。なお、図６において、図３（Ｂ）中の要素と同様の要素には同一の符号を付している。
実施形態３の吸込口体３２０は、実施形態２とは異なる方法で拭き掃除ヘッド３２２の底面の一部を摺接面部３２２Ｓとしている。
【００３５】
実施形態３の場合、中間プレート３２２ｂは複数の均一な太さの突起部３２２ｂ3を有し、クッションプレート３２２ｃは複数の突起部３２２ｂ3が挿入される複数の孔部を有する。
また、クッションプレート３２２ｃは、下面の前後に一対形成された左右方向に延びる凹部を有する弾性体からなるプレート本体３２２ｃ1と、プレート本体３２２ｃ1の一対の凹部に嵌め込まれた薄い帯形の樹脂プレート３２２ｃ2とを有し、摺接面部３２２Ｓである樹脂プレート３２２ｃ2の下面はプレート本体３２２ｃ1の下面よりも下方へ突出している。なお、樹脂プレート３２２ｃ2の材料として、実施形態２における樹脂フィルム２２ｃ2（図５）と同じ樹脂製の厚さ２〜５ｍｍ程度の樹脂プレートを用いることができる。
【００３６】
樹脂プレート３２２ｃ2の下方への突出は、拭き掃除の際に拭き掃除ヘッド３２２が押え付けられても樹脂プレート３２２ｃ2がプレート本体３２２ｃ1内に完全に埋没しない程度とされる。また、樹脂プレート３２２ｃ2の下面の前後端部はプレート本体３２２ｃ1の下面との段差が滑らかになるように面取りされていることが好ましい。なお、樹脂プレート３２２ｃ2は、２ヶ所としているが、これに限らない。
実施形態３の吸込口体３２０において、その他の構成は実施形態１および２と同様である。
【００３７】
実施形態３の拭き掃除ヘッド３２０でも底面の一部を摺接面部３２２Ｓとしたことで実施形態１よりも摺接面部３２２Ｓの面積が減少し、フローリング、畳、毛足の短いカーペット等の被清掃面Ｆ（特に、フローリング、畳といった滑らかな被清掃面）に対してよりスムーズな摺動性を得ることができる。
【００３８】
また、実施形態３の吸込口体３２０においても、実施形態１と同様に拭き掃除ヘッド３２２に拭き掃除用シート（不図示）を装着して拭き掃除を行うことができる。この際、装着した拭き掃除用シートは平面的に張られるが、クッションプレート３２２ｃの底面に凸形部分（樹脂プレート３２２ｃ2部分）と凹形部分（プレート本体３２２ｃ1部分）を有しているため、拭き掃除用シートの被清掃面Ｆに対する押圧力に強弱が生じ、被清掃面Ｆにこびり付いた汚れを凸形部分で強く擦って除去しやすくなる。
【００３９】
（実施形態４）
図７は実施形態４における吸込口体の側断面図である。なお、図７において、図３（Ｂ）中の要素と同様の要素には同一の符号を付している。
実施形態４の吸込口体４２０は、拭き掃除ヘッド４２２の底面側の前端縁に起毛ブラシ４２２ａ2が設けられていること以外は、実施形態１と同様である。
この場合、拭き掃除ヘッド４２２のヘッド本体２２ａの前端縁に沿って左右方向に延びる下方開口状のブラシ保持凹部４２２ａ1が設けられると共に、ブラシ保持凹部４２２ａ1内に起毛ブラシ４２２ａ2の根元部が嵌め込まれて固定されている。
実施形態４の吸込口体４２０によれば、拭き掃除を伴わない吸引清掃のみにおいて、吸い残したダストを起毛ブラシ４２２ａ2にて捕獲し、起毛ブラシ４２２ａ2にある程度ダストが溜まると吸込ノズル２１にてダストの塊を吸引除去することができる。
【００４０】
（実施形態５）
図８は実施形態５における吸込口体の斜視図である。なお、図８において、図１および図２中の要素と同様の要素には同一の符号を付している。
実施形態１〜４では関節部２３および可撓性ホース２４を介して掃除機本体１０と吸込口体２０、２２０、３２０、４２０とが連結一体化した電気掃除機を例示したが、実施形態５のように吸込口体５２０は掃除機本体に着脱可能に取り付けられるものであってもよい。
【００４１】
すなわち、実施形態５の吸込口体５２０は、実施形態１の吸込口体２０と同様の吸込ノズル２１、拭き掃除ヘッド２２、関節部２３および可撓性ホース２４を備え、さらに、関節部２３の前後一対の上取付片２３ｂに前後軸心を中心に左右揺動可能に取り付けられた接続管部２５を備える。
この接続管部２５は、関節部２３に左右揺動可能に取り付けられた中空ブロック部２５ａと、中空ブロック部２５ａの上壁を貫通する円筒部２５ｂとを有し、円筒部２５ｂに可撓性ホース２４の上端部が気密に接続されている。
【００４２】
実施形態５の吸込口体５２０によれば、図示しないキャニスター型、スティック型、ハンディ型等の電気掃除機の掃除機本体に延長パイプ等を介してまたは介さずに吸込口体５２０の接続管部２５を着脱可能に接続することができる。そのため、吸引清掃と拭き掃除の両方の機能を備えたキャニスター型、スティック型、ハンディ型等の電気掃除機を得ることができると共に、掃除機本体に取り付けた吸込口体５２０を他の吸込口体に付け替えて使用することも可能となる。
【００４３】
（他の実施形態）
１．実施形態１（図３（Ｂ））ではクッションプレート２２ｃのプレート本体２２ｃ1の下面全面を樹脂フィルム２２ｃ2にて構成した場合を例示したが、複数のドット状の樹脂フィルムをプレート本体２２ｃ1の下面に均一に分散配置してもよい。
２．実施形態１（図３（Ｂ））の吸込口体２０における樹脂フィルム２２ｃ2の代わりに厚さ１〜２ｍｍ程度の樹脂プレートを用いてもよい。
３．実施形態１（図３（Ｂ））の吸込口体２０におけるクッションプレート２２ｃを実施形態３のように厚くしてもよく、実施形態２および４（図５、図７）についても同様である。
４．実施形態５（図７）の吸込口体４２０における起毛ブラシ４２２ａ2は実施形態２および３（図５、図６）の吸込口体に設けてもよい。
【００４４】
（まとめ）
本発明の電気掃除機の吸込口体は、吸込ノズルと、前記吸込ノズルの後部に設けられた拭き掃除ヘッドとを備え、
前記拭き掃除ヘッドは、被清掃面の拭き掃除において拭き掃除用シートにて被覆される底面を有し、
前記底面は、拭き掃除用シートが取り除かれた状態において被清掃面と摺接可能な滑らかな摺接面部を有する。
【００４５】
本発明の電気掃除機の吸込口体は、次のように構成されてもよく、それらが適宜組み合わされてもよい。
（１）前記拭き掃除ヘッドは、ヘッド本体と、前記ヘッド本体の下面に取り付けられるクッションプレートとを有し、
前記ヘッド本体に取り付けられた前記クッションプレートの下面の全面または一部にて前記摺接面部が形成されてもよい。
この構成によれば、拭き掃除を伴わない吸引清掃のみ行う際に、クッションプレートのクッション性によって被清掃面に傷を付けないようにすることができることができる。
また、クッションプレートの下面の全面にて摺接面部を形成する場合、下面全面を平滑面とすることができるため、フローリング、畳、カーペットといったあらゆる素材の被清掃面に対してスムーズな摺動性を得ることができる。
また、クッションプレートの下面の一部にて摺接面部を形成する場合、下面における摺接面部を滑らかな凸形状に形成し、かつ下面におけるその他の領域は被清掃面と摺接しにくいよう凹形状に形成することができる。例えば、クッションプレートの下面を側面側から視て正弦波形あるいは矩形波形に形成して凸部分を摺接面部とすることができる。そのため、特にフローリングや畳といった滑らかな被清掃面に対しては摺接面部の接触面積が減少することによってよりスムーズな摺動性を得ることができる。
【００４６】
（２）前記クッションプレートは、弾性体からなるプレート本体と、前記プレート本体の下面に貼り付けられた樹脂フィルムまたは樹脂プレートとを有し、
前記樹脂フィルムまたは樹脂プレートにて前記摺接面部が形成されてもよい。
この構成によれば、市販の素材を用いて低コストにて容易にクッションプレートを作製することができる。
【００４７】
（３）前記拭き掃除ヘッドの前記底面側の前端縁に起毛ブラシが設けられてもよい。
この構成によれば、拭き掃除を伴わない吸引清掃のみにおいて、吸い残したダストを起毛ブラシにて捕獲し、起毛ブラシにある程度ダストが溜まると吸込ノズルにてダストの塊を吸引除去することができる。
【００４８】
（４）前記吸込ノズルに接続された一端部を有する可撓性ホースと、前記可撓性ホースの他端部に設けられた接続管部とをさらに備えてもよい。
この構成によれば、キャニスター型、スティック型、ハンディ型等の電気掃除機の掃除機本体に延長パイプ等を介してまたは介さずに吸込口体の接続管部を接続することができるため、吸引清掃と拭き掃除の両方の機能を備えたキャニスター型、スティック型、ハンディ型等の電気掃除機を得ることができる。
【００４９】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００５０】
２０、２２０、３２０、４２０、５２０  吸込口体
２１  吸込ノズル
２２、２２２、３２２、４２２  拭き掃除ヘッド
２２ａ  ヘッド本体
２２ｃ、２２２ｃ、３２２ｃ  クッションプレート
２２ｃ1、２２２ｃ1、３２２ｃ1  プレート本体
２２ｃ2  樹脂フィルム
２２Ｓ、２２２Ｓ、３２２Ｓ  摺接面部
２４  可撓性ホース
２５  接続管部
３２２ｃ2  樹脂プレート
４２２ａ2  起毛ブラシ
Ｆ  被清掃面
【図１】
2019115506.tif 000003
【図２】
2019115506.tif 000004
【図３】
2019115506.tif 000005
【図４】
2019115506.tif 000006
【図５】
2019115506.tif 000007
【図６】
2019115506.tif 000008
【図７】
2019115506.tif 000009
【図８】
2019115506.tif 000010